(57)【要約】      （修正有）【課題】表示画面と外側に配置された複数の操作子を備え、複数の操作子の一部の操作子にそれぞれ対応する前記表示画面上の位置に選択項目を表示し、ユーザが選択項目に対応する位置の操作子の操作によって選択項目を指定する電子音楽装置において、誤操作を抑制が可能となる電子音楽装置を提供する。【解決手段】ボイスモードが選択されると表示部内の小型ＬＣＤ上にはアルペジオパラメータ設定画面９ａが表示され、アルペジオパラメータ設定画面９ａが表示される前に表示領域９ａ１および９ａ２に表示されるタブあるいはボタンの位置を求めるとともに、そのうち選択状態となるタブの位置も求めておく。全ファンクションＳＷＦ１〜Ｆ６およびサブファンクションＳＷＳＦ１〜ＳＦ６のうち前者の位置であって、後者の位置ではないＳＷ用ＬＥＤを点灯させ、前者の位置でも後者の位置でもないＳＷ用ＬＥＤを消灯させ、後者の位置のＳＷ用ＬＥＤを点滅させる。【選択図】図２
2010231131.tif 000002
【特許請求の範囲】
【請求項１】
複数の設定項目群のいずれかと対応付けられた選択項目を複数表示するとともに、該表示された複数の選択項目のうち、選択指定されたいずれかに対応する設定項目群を表示する表示手段と、
前記表示手段の外側に設けられ、前記表示手段上の複数の選択項目のそれぞれを選択指定する複数の操作子と、
前記複数の操作子のそれぞれに埋め込まれた、あるいは前記複数の操作子のそれぞれの近傍に設けられた発光手段と、
前記複数の操作子にそれぞれに対応する発光手段それぞれの発光態様を、対応する選択項目が選択可能であるか否かに応じて異ならせるように制御する制御手段と
を有することを特徴とする電子音楽装置。
【請求項２】
前記制御手段は、前記対応する選択項目が選択可能である発光手段の発光態様を、当該設定項目が実際に選択されているか否かに応じてさらに異ならせることを特徴とする請求項１に記載の電子音楽装置。
【請求項３】
前記複数の操作子は、第１のカテゴリに属するものと、該第１のカテゴリの下位に位置する第２のカテゴリに属するものに分けられ、
前記複数の選択項目も、前記第１のカテゴリに属するものと、前記第２のカテゴリに属するものに分けられ、
前記表示手段上には、まず前記第１のカテゴリに属する選択項目のうちの少なくとも一部が表示され、該表示された選択項目のいずれかを選択指定する操作子が操作されると、当該選択項目が選択状態となって、前記表示手段上には、次に前記第２のカテゴリに属する選択項目のうち、前記選択状態の選択項目に対応するものが表示されることを特徴とする請求項２に記載の電子音楽装置。
【発明の詳細な説明】
【技術分野】
【０００１】
本発明は、表示画面とその外側に配置された複数の操作子を備え、前記複数の操作子のうち、少なくとも一部の操作子にそれぞれ対応する前記表示画面上の位置に選択項目を表示し、ユーザがいずれかの選択項目に対応する位置の操作子を操作することによって当該選択項目を選択指定するようにした電子音楽装置に関する。
【背景技術】
【０００２】
表示画面とその外側に配置された複数の操作子を備え、前記複数の操作子のうち、少なくとも一部の操作子にそれぞれ対応する前記表示画面上の位置に選択項目を表示し、ユーザがいずれかの選択項目に対応する位置の操作子を操作することによって当該選択項目を選択指定するようにした電子音楽装置は、従来から知られている。
【０００３】
このような電子音楽装置として、液晶ディスプレイ（ＬＣＤ）と、その下に２段に亘って配置されたファンクションスイッチ群およびサブファンクションスイッチ群を備え、選択された動作モードに応じて、ＬＣＤの表示画面内の前記両スイッチ群に近い位置に２段に亘って、当該モード中の各種機能名がそれぞれ付けられたタブを表示し、タブに付けられたいずれかの名称の機能を選択するために、ユーザは当該タブに対応する位置に配置されたファンクションスイッチあるいはサブファンクションスイッチを操作するようにしたものがある（たとえば、非特許文献１参照）。そしてこの電子音楽装置では、ファンクションスイッチあるいはサブファンクションスイッチに対応するタブが表示されない場合があるが、その場合には、ユーザが当該ファンクションスイッチあるいはサブファンクションスイッチを操作したとしても、その操作は無効となる。
【先行技術文献】
【非特許文献】
【０００４】
【非特許文献１】ＭＯＴＩＦ ＸＳ取扱説明書，２００７年，ヤマハ株式会社（第１４頁および第８１頁）
【発明の概要】
【発明が解決しようとする課題】
【０００５】
しかし上記従来の電子音楽装置では、ファンクションスイッチあるいはサブファンクションスイッチについての操作が有効か無効かの判断は、ユーザがＬＣＤの表示画面内に対応するタブが表示されているかどうかを目で見て行う必要があり、各スイッチが密に配置されている場合やスイッチ操作を急いでいる場合などには、判断対象のスイッチを、たとえば隣接するスイッチなどの他のスイッチと間違えてしまうことがあった。このため、判断対象のスイッチについての操作は実際には有効であるものの、ユーザは無効と判断して操作を止めてしまったり、その逆に、判断対象のスイッチについての操作は実際には無効であるものの、ユーザは有効と判断して操作をしてしまったりというように、ユーザは誤操作をしてしまうことがあった。
【０００６】
本発明は、この点に着目してなされたものであり、表示画面とその外側に配置された複数の操作子を備え、前記複数の操作子のうち、少なくとも一部の操作子にそれぞれ対応する前記表示画面上の位置に選択項目を表示し、ユーザがいずれかの選択項目に対応する位置の操作子を操作することによって当該選択項目を選択指定するようにした電子音楽装置において、ユーザの操作子に対する誤操作を抑制することが可能となる電子音楽装置を提供することを目的とする。
【課題を解決するための手段】
【０００７】
上記目的を達成するため、請求項１に記載の電子音楽装置は、複数の設定項目群のいずれかと対応付けられた選択項目を複数表示するとともに、該表示された複数の選択項目のうち、選択指定されたいずれかに対応する設定項目群を表示する表示手段と、前記表示手段の外側に設けられ、前記表示手段上の複数の選択項目のそれぞれを選択指定する複数の操作子と、前記複数の操作子のそれぞれに埋め込まれた、あるいは前記複数の操作子のそれぞれの近傍に設けられた発光手段と、前記複数の操作子にそれぞれに対応する発光手段それぞれの発光態様を、対応する選択項目が選択可能であるか否かに応じて異ならせるように制御する制御手段とを有することを特徴とする。
【０００８】
請求項２に記載の電子音楽装置は、請求項１の電子音楽装置において、前記制御手段は、前記対応する選択項目が選択可能である発光手段の発光態様を、当該設定項目が実際に選択されているか否かに応じてさらに異ならせることを特徴とする。
【０００９】
請求項３に記載の電子音楽装置は、請求項２の電子音楽装置において、前記複数の操作子は、第１のカテゴリに属するものと、該第１のカテゴリの下位に位置する第２のカテゴリに属するものに分けられ、前記複数の選択項目も、前記第１のカテゴリに属するものと、前記第２のカテゴリに属するものに分けられ、前記表示手段上には、まず前記第１のカテゴリに属する選択項目のうちの少なくとも一部が表示され、該表示された選択項目のいずれかを選択指定する操作子が操作されると、当該選択項目が選択状態となって、前記表示手段上には、次に前記第２のカテゴリに属する選択項目のうち、前記選択状態の選択項目に対応するものが表示されることを特徴とする。
【発明の効果】
【００１０】
請求項１に記載の発明によれば、複数の設定項目群のいずれかと対応付けられた選択項目を複数表示するとともに、該表示された複数の選択項目のうち、選択指定されたいずれかに対応する設定項目群を表示する表示手段と、前記表示手段の外側に設けられ、前記表示手段上の複数の選択項目のそれぞれを選択指定する複数の操作子とを備え、前記複数の操作子にそれぞれに対応する発光手段それぞれの発光態様を、対応する選択項目が選択可能であるか否かに応じて異ならせるようにしたので、ユーザは実際に操作する操作子上あるいはその近傍で、自身が選択しようとしている選択項目の選択の可否を判断することができ、これにより、ユーザの操作子に対する誤操作を抑制することが可能となる。
【００１１】
請求項２に記載の発明によれば、前記対応する選択項目が選択可能である発光手段の発光態様を、当該設定項目が実際に選択されているか否かに応じてさらに異ならせるようにしたので、ユーザの操作子に対する誤操作をさらに抑制することが可能となる。
【図面の簡単な説明】
【００１２】
【図１】本発明の一実施の形態に係る電子音楽装置の概略構成を示すブロック図である。
【図２】図１の電子音楽装置の操作パネルの一部を示す図である。
【図３ａ】図１の電子音楽装置、特にＣＰＵが実行するメインルーチンの手順を示すフローチャートである。
【図３ｂ】図３ａのメインルーチンの続きの手順を示すフローチャートである。
【発明を実施するための形態】
【００１３】
以下、本発明の実施の形態を図面に基づいて詳細に説明する。
【００１４】
図１は、本発明の一実施の形態に係る電子音楽装置の概略構成を示すブロック図である。
【００１５】
同図に示すように、本実施の形態の電子音楽装置は、音高情報を含む演奏情報を入力するための鍵盤を含む演奏操作子および該演奏操作子の操作状態を検出する検出回路からなる演奏操作部１と、各種情報を入力するための複数のスイッチやロータリエンコーダを含む設定操作子および該設定操作子の操作状態を検出する検出回路からなる設定操作部２と、ファンクションスイッチ（ＳＷ）３ａおよびファンクションＳＷ用ＬＥＤ（light emitting diode）３ｂを１組として複数組（本実施の形態では、６組）からなる機能選択部３と、サブファンクションＳＷ４ａおよびサブファンクションＳＷ用ＬＥＤ４ｂを１組として複数組（本実施の形態では、６組）からなるサブ機能選択部４と、装置全体の制御を司るＣＰＵ５と、該ＣＰＵ５が実行する制御プログラムや各種テーブルデータ等を記憶するＲＯＭ６と、演奏情報、各種入力情報および演算結果等を一時的に記憶するＲＡＭ７と、タイマ割込み処理における割込み時間や各種時間を計時するタイマ８と、各種情報等を表示する、たとえば小型のＬＣＤ（liquid crystal display）およびＬＥＤ等を備えた表示部９と、前記制御プログラムを含む各種アプリケーションプログラムや各種楽曲データ、各種データ等を記憶する記憶装置１０と、外部からのＭＩＤＩ（musical instrument digital interface）メッセージを入力したり、ＭＩＤＩメッセージを外部に出力したりするＭＩＤＩインターフェース（Ｉ／Ｆ）１１と、通信ネットワーク１０１を介して、たとえばサーバコンピュータ（以下、「サーバ」と略して言う）１０２とデータの送受信を行う通信インターフェース（Ｉ／Ｆ）１２と、演奏操作部１から入力された演奏情報や、前記記憶装置１０に記憶されたいずれかの楽曲データを再生して得られた演奏情報等を楽音信号に変換するとともに、その楽音信号に各種効果を付与するための音源・効果回路１３と、該音源・効果回路１３からの楽音信号を音響に変換する、たとえば、ＤＡＣ（digital-to-analog converter）やアンプ、スピーカ等のサウンドシステム１４とにより構成されている。
【００１６】
上記構成要素１〜１３は、バス１５を介して相互に接続され、ＣＰＵ５にはタイマ８が接続され、ＭＩＤＩＩ／Ｆ１１には他のＭＩＤＩ機器１００が接続され、通信Ｉ／Ｆ１２には通信ネットワーク１０１が接続され、音源・効果回路１３にはサウンドシステム１４が接続されている。ここで、通信Ｉ／Ｆ１２および通信ネットワーク１０１は、有線方式のものに限らず、無線方式のものであってもよい。また、両方式のものを備えていてもよい。
【００１７】
機能選択部３は、演奏操作部１および設定操作部２と同様に、各ファンクションＳＷ３ａの操作状態を検出する検出回路を備えている。また、各ファンクションＳＷ３ａにそれぞれ対応付けられた各ファンクションＳＷ用ＬＥＤ３ｂは、当該ファンクションＳＷ３ａ内に設けられ、当該ファンクションＳＷ３ａの表面、つまりユーザが押下操作のために触れる部分を発光させる。もちろん、ファンクションＳＷ用ＬＥＤ３ｂの位置は、これに限られる訳ではなく、本実施の形態の電子音楽装置の操作パネル面上のファンクションＳＷ３ａの近傍としてもよい。この場合には当然ながら、各ファンクションＳＷ３ａの表面は発光しない。これらの事情は、サブ機能選択部４についても同様に当てはまる。
【００１８】
記憶装置１０は、たとえば、フレキシブルディスク（ＦＤ）、ハードディスク（ＨＤ）、ＣＤ−ＲＯＭ、ＤＶＤ（digital versatile disc）、光磁気ディスク（ＭＯ）および半導体メモリなどの記憶媒体とその駆動装置である。記憶媒体は、駆動装置から着脱可能であってもよいし、記憶装置１０自体が、本実施の形態の電子音楽装置から着脱可能であってもよい。あるいは、記憶媒体も記憶装置１０も着脱不可能であってもよい。なお記憶装置１０には、前述のようにＣＰＵ５が実行する制御プログラムも記憶でき、ＲＯＭ６に制御プログラムが記憶されていない場合には、この記憶装置１０に制御プログラムを記憶させておき、それをＲＡＭ７に読み込むことにより、ＲＯＭ６に制御プログラムを記憶している場合と同様の動作をＣＰＵ５にさせることができる。このようにすると、制御プログラムの追加やバージョンアップ等が容易に行える。
【００１９】
ＭＩＤＩＩ／Ｆ１１は、専用のものに限らず、ＲＳ−２３２ＣやＵＳＢ（universal serial bus）、ＩＥＥＥ１３９４等の汎用のインターフェースによって構成してもよい。この場合、ＭＩＤＩメッセージ以外のデータをも同時に送受信してもよい。
【００２０】
通信Ｉ／Ｆ１２は、上述のように、たとえばＬＡＮ（local area network）やインターネット、電話回線等の通信ネットワーク１０１に接続されており、該通信ネットワーク１０１を介してサーバ１０２に接続される。記憶装置１０に上記各プログラムや各種パラメータが記憶されていない場合には、通信Ｉ／Ｆ１２は、サーバ１０２からプログラムやパラメータをダウンロードするために用いられる。クライアントとなる電子音楽装置は、通信Ｉ／Ｆ１２および通信ネットワーク１０１を介してサーバ１０２へとプログラムやパラメータのダウンロードを要求するコマンドを送信する。サーバ１０２は、このコマンドを受け、要求されたプログラムやパラメータを、通信ネットワーク１０１を介して電子音楽装置へと配信し、電子音楽装置が通信Ｉ／Ｆ１２を介して、これらプログラムやパラメータを受信して記憶装置１０に蓄積することにより、ダウンロードが完了する。
【００２１】
なお本実施の形態では、電子音楽装置を電子鍵盤楽器上に構築するようにしたが、鍵盤楽器の形態に代えて、弦楽器タイプ、管楽器タイプ、打楽器タイプ等の他の楽器の形態を採用してもよい。さらに、ミキサなどの音響機器上に構築するようにしてもよい。その場合には、楽音信号をミキシングするための信号処理回路やＡＤ／ＤＡ変換回路などは必須の構成要素であるが、音源・効果回路１３は必須の構成要素ではない。
【００２２】
図２は、本実施の形態の電子音楽装置の操作パネルの一部を示す図であり、同図には、前記表示部９内の小型ＬＣＤ上に表示された表示画面９ａ、前記設定操作部２内の設定操作子の一部、機能選択部３内の複数のファンクションＳＷ３ａ（本実施の形態では、ファンクションＳＷＦ１〜Ｆ６の６つ）およびサブ機能選択部４の複数のサブファンクションＳＷ４ａ（本実施の形態では、サブファンクションＳＷＳＦ１〜ＳＦ６の６つ）が描かれている。
【００２３】
表示画面９ａは、ボイス（ＶＯＩＣＥ）モード内の複数の機能からアルペジオ（Ａｒｐｅｇｇｉｏ）パラメータ設定機能が選択され、さらにそのアルペジオパラメータ設定機能の下位にある複数のサブ機能から“ＡＲＰ１”パラメータ設定機能が選択されたときに表示される画面の一例を示している。なお、アルペジオパラメータ設定機能が選択された場合、そのサブ機能としてどれが選択されたとしても、つまり、“ＡＲＰ１”〜“ＡＲＰ３”のいずれのパラメータ設定機能が選択されたとしても、表示画面９ａの表示内容（表示形式）の差異はほとんどないので、以下、表示画面９ａを「アルペジオパラメータ設定画面９ａ」という。
【００２４】
アルペジオパラメータ設定画面９ａ内の最下段の表示領域９ａ１には、ボイスモード内のすべての機能の各名称が付けられた４つのタブが表示され、現在選択中のタブ、つまり“Ａｒｐｅｇｇｉｏ”の名称が付けられたタブが、選択状態の表示態様で表示されている。なお、ボイスモード内の機能でない機能、図示例では“Ｅｆｆｅｃｔ”は、タブの表示態様ではなくボタンの表示態様で表示される。
【００２５】
次の２段目の表示領域９ａ２には、選択された機能の下位に位置するすべてのサブ機能の各名称が付けられた３つのタブが表示され、現在選択中のタブ、つまり“ＡＲＰ１”の名称が付けられたタブが、選択状態の表示態様で表示されている。なお、アルペジオパラメータ設定機能内のサブ機能でない機能、図示例では“ＩＮＦＯ”は、タブの表示態様ではなくボタンの表示態様で表示される。
【００２６】
アルペジオパラメータ設定画面９ａ内の最上段から表示領域９ａ２の上までの表示領域のうち、上半分の表示領域９ａ３にはアルペジオパラメータ設定機能に共通する設定項目群が表示され、下半分の表示領域９ａ４には“ＡＲＰ１”パラメータ設定機能に特有の設定項目群が表示される。
【００２７】
表示領域９ａ１に表示されるタブあるいはボタンは、ファンクションＳＷＦ１〜Ｆ６によって選択されるので、ファンクションＳＷＦ１〜Ｆ６のどれによってどのタブあるいはボタンが選択されるかが明確に分かるように、タブあるいはボタンの表示位置とそれに対応する各ファンクションＳＷＦ１〜Ｆ６の設置位置とは正確に対応付けられている。
【００２８】
表示領域９ａ２に表示されるタブあるいはボタンとそれに対応する各サブファンクションＳＷＳＦ１〜ＳＦ６との位置関係も、上記タブあるいはボタンとそれに対応する各ファンクションＳＷＦ１〜Ｆ６との位置関係と同様である。
【００２９】
表示領域９ａ３および９ａ４に表示される各設定項目群に属する各種設定項目（図示例では、各種パラメータの値）を変更するには、まず変更対象の設定項目群にカーソルＣを合わせ、次にその値を変更することによって行う。カーソルＣの移動は、カーソル移動スイッチ２ｃを押下して行い、カーソルＣが位置するパラメータ値の変更は、ロータリエンコーダ２ａを回転させて、あるいは増（ＩＮＣ）／減（ＤＥＣ）スイッチ２ｂ１または２ｂ２を押下して行う。
【００３０】
ＥＮＴＥＲスイッチ２ｄは、何かを確定するときに押下し、ＥＸＩＴスイッチ２ｅは、何かを解除するときに押下する。
【００３１】
以上のように構成された電子音楽装置が実行する制御処理を、まず図２を参照してその概要を説明し、次に図３を参照して詳細に説明する。なお以下の説明では、動作モードとしてボイスモードが、機能としてアルペジオが、サブ機能として“ＡＲＰ１”が選択されている場合を例に挙げるが、他の動作モードや他の機能や他のサブ機能が選択されている場合にも同様に動作することが容易に類推されるので、その説明は省略する。
【００３２】
本実施の形態の電子音楽装置のユーザが、当該装置に設けられた複数の動作モード（ボイスモード、パフォーマンスモード、ソングモードなど）から、前記設定操作部２に含まれるモード選択スイッチ（図示せず）を用いて、たとえばボイスモードを選択すると、表示部９内の小型ＬＣＤ上にはアルペジオパラメータ設定画面９ａが表示される。なおアルペジオパラメータ設定画面９ａでは、“Ａｒｐｅｇｇｉｏ”タブとその下位の“ＡＲＰ１”タブが選択状態になっているが、この状態には、ユーザがボイスモードを選択した後、ファンクションＳＷＦ４を押下し、さらにサブファンクションＳＷＳＦ１を押下することで移行したとしてもよいし、ボイスモードが選択されたときのデフォルト値に応じて（ユーザの積極的な操作がなされず）自動的に移行したとしてもよい。
【００３３】
アルペジオパラメータ設定画面９ａが表示される前に（あるいは、アルペジオパラメータ設定画面９ａの画像データを生成するのと同時に）、ＣＰＵ５は、表示領域９ａ１および９ａ２に表示するタブあるいはボタンの位置を求めるとともに、そのうち選択状態となるタブの位置も求める。そしてＣＰＵ５は、全ファンクションＳＷＦ１〜Ｆ６およびサブファンクションＳＷＳＦ１〜ＳＦ６のうち、前者の位置であって、後者の位置ではないＳＷ用ＬＥＤを点灯させ、前者の位置でも後者の位置でもないＳＷ用ＬＥＤを消灯させ、後者の位置のＳＷ用ＬＥＤを点滅させる。これにより図２に示すように、選択状態のタブに対応するファンクションＳＷＦ４およびサブファンクションＳＷＳＦ１の表面が、選択状態を示す点滅状態となり、選択可能状態のタブおよびボタンに対応するファンクションＳＷＦ１〜Ｆ３，Ｆ６およびサブファンクションＳＷＳＦ２，ＳＦ３，ＳＦ６の表面が、選択可能状態を示す点灯状態となり、選択不可能状態のタブおよびボタン（図示例では、表示されない）に対応するファンクションＳＷＦ５，Ｆ６およびサブファンクションＳＷＳＦ４，ＳＦ５の表面が、選択不可能状態を示す消灯状態となる。
【００３４】
このように本実施の形態では、ユーザはファンクションＳＷＦ１〜Ｆ６およびサブファンクションＳＷＳＦ１〜ＳＦ６あるいはその近傍を見るだけで、表示部９の小型ＬＣＤ上の表示画面内の選択項目についての選択状態を把握できるので、ユーザのファンクションＳＷＦ１〜Ｆ６およびサブファンクションＳＷＳＦ１〜ＳＦ６に対する誤操作を抑制することが可能となる。
【００３５】
次に、この制御処理を詳細に説明する。
【００３６】
図３ａおよび図３ｂは、本実施の形態の電子音楽装置、特にＣＰＵ５が実行するメインルーチンの手順を示すフローチャートである。
【００３７】
本メインルーチンは、主として
（１）初期設定処理（ステップＳ１）
（２）ファンクションＳＷＦ１〜Ｆ６に関連する表示を行う第１の表示処理（ステップＳ２〜Ｓ６）
（３）サブファンクションＳＷＳＦ１〜ＳＦ６に関連する表示を行う第２の表示処理（ステップＳ７〜Ｓ９）
（４）設定項目群であるパラメータ群を表示する第３の表示処理（ステップＳ１０）
（５）選択可能なサブファンクションＳＷが操作されたときに実行される表示更新処理（ステップＳ１２〜Ｓ１４）
（６）パラメータ変更処理（ステップＳ１６）
（７）その他の処理（ステップＳ１７）
によって構成されている。
【００３８】
本メインルーチンは、本実施の形態の電子音楽装置の設定操作部２に含まれる電源スイッチ（図示せず）がオンされたときに起動し、オフされたときに終了する。本メインルーチンが起動すると、まずＣＰＵ５は、前記（１）の初期設定処理を実行する。この（１）初期設定処理では、ＣＰＵ５は、ＲＡＭ７をクリアしたり、各種パラメータの値をデフォルト値に設定したり、タイマ８の計時を開始させたり、タイマ割込処理を起動させるためにタイマ８に対して割込信号の発生を許可したり、動作モードをデフォルトモードに設定したりする等の初期設定を行う（ステップＳ１）。
【００３９】
次にＣＰＵ５は、処理を前記（２）の第１の表示処理に進める。この（２）第１の表示処理では、まずＣＰＵ５は、選択されたモードにおけるすべての機能を求める（ステップＳ２）。たとえば、ボイスモードが選択されたときには、ボイスモードのすべての機能である“Ｐｌａｙ”，“Ｖｏｉｃｅ”，“ＥＧ”および“Ａｒｐｅｇｇｉｏ”が求められる。なお、ステップＳ２に処理が進んだときに、モードが選択されていない場合があるが、この場合には、前述のようにデフォルトモードが選択されているとすればよい。次にＣＰＵ５は、求めた機能に対応させて、ＬＣＤ画面の最下段にタブを表示する（ステップＳ３）。これにより、前記アルペジオパラメータ設定画面９ａの表示領域９ａ１のように、ボイスモード内のすべての機能に対応するタブが表示される。ただしステップＳ３の処理が終わった段階では、“Ａｒｐｅｇｇｉｏ”タブは選択状態にはなっていない。また“Ｅｆｆｅｃｔ”ボタンも表示されない。本メインルーチンには“Ｅｆｆｅｃｔ”ボタンについての表示処理は明示されていないが、この表示処理は、たとえば前記（７）のその他の処理中で行うようにすればよい。
【００４０】
次にＣＰＵ５は、選択可能なファンクションＳＷに対応するＬＥＤを「点灯」に設定し、選択不可能なファンクションＳＷに対応するＬＥＤを「消灯」に設定する（ステップＳ４）。ここで、選択可能なファンクションＳＷとは、表示領域９ａ１の対応する位置にタブが表示されるファンクションＳＷであり、選択不可能なファンクションＳＷとは、表示領域９ａ１の対応する位置にタブが表示されないファンクションＳＷである。なお、選択可能なファンクションＳＷの中に、選択中のファンクションＳＷを含ませるかどうかであるが、どちらでも構わない。選択可能なファンクションＳＷの中に、選択中のファンクションＳＷを含ませた場合には、選択中のファンクションＳＷに対応するＬＥＤは、上記ステップＳ４の処理で一旦「点灯」に設定されるが、後述するステップＳ６の処理で「点滅」に再設定される。一方、選択可能なファンクションＳＷの中に、選択中のファンクションＳＷを含ませない場合には、ステップＳ６の処理で「点滅」が新規に設定される。
【００４１】
次にＣＰＵ５は、選択された機能のタブの表示態様を選択状態に設定する（ステップＳ５）。これにより、アルペジオパラメータ設定画面９ａのように“Ａｒｐｅｇｇｉｏ”タブは選択状態に表示される。
【００４２】
さらにＣＰＵ５は、選択された機能のタブに対応するＬＥＤを「点滅」に設定する（ステップＳ６）。「点滅」が設定されると、ＣＰＵ５は、前記タイマ割込み処理中の一処理、つまり、当該ＬＥＤを所定時間点灯させた後、所定時間消灯させるという処理を、タイマ割込信号が発生する毎に繰り返し実行させて当該ＬＥＤを「点滅」させる。
【００４３】
なお、上記ステップＳ４およびＳ６によって、各ファンクションＳＷ用ＬＥＤ３ｂの表示態様、つまり「点灯」、「消灯」および「点滅」が設定されると、その実際の制御処理は、別の場所、たとえば前記（７）のその他の処理中で行う。このように設定とその制御処理とを分けたのは、ステップＳ４で前述したように、選択可能なファンクションＳＷの中に、選択中のファンクションＳＷを含ませた場合には、選択中のファンクションＳＷに対応するＬＥＤは一旦「点灯」に設定された後に「点滅」に再設定されるが、この場合に、ステップＳ４の処理において「設定」処理ではなくＬＥＤについての実際の発光処理を行うと、選択中のファンクションＳＷに対応するＬＥＤは一旦「点灯」してから「点滅」に移り、不自然になるからである。
【００４４】
次にＣＰＵ５は、処理を前記（３）の第２の表示処理に進める。この（３）第２の表示処理では、ＣＰＵ５は、選択された機能におけるすべてのサブ機能を求め（ステップＳ７）、求めたサブ機能に対応させて、ＬＣＤ画面の下から２段目にタブを表示し（ステップＳ８）、選択可能なサブファンクションＳＷに対応するＬＥＤを「点灯」に設定し、選択不可能なサブファンクションＳＷに対応するＬＥＤを「消灯」に設定する（ステップＳ９）。上記ステップＳ７〜Ｓ９の各処理は、前記ステップＳ２〜Ｓ４の各処理に対して、処理対象がサブ機能である点が異なるのみであり、ステップＳ２〜Ｓ４の各処理を類推適用すれば簡単に実現できるので、その詳細な説明は省略する。ただしこの（３）第２の表示処理では、選択可能なサブ機能についてのＬＣＤ画面およびＬＥＤの表示はなされているものの、選択中のサブ機能についての表示はなされていない。選択中のサブ機能についての表示は、前記（５）の表示更新処理でなされる。
【００４５】
次にＣＰＵ５は、処理を前記（４）の第３の表示処理に進める。この（４）第３の表示処理では、ＣＰＵ５は、ＬＣＤ画面のタブが表示された領域より上の領域に、選択された機能および／またはサブ機能に応じた表示を行う（ステップＳ１０）。これにより、前記アルペジオパラメータ設定画面９ａの表示領域９ａ３および９ａ４のように、画面の最上段から２段目のタブの上までの表示領域のうち、上半分には機能に応じた設定項目群が表示され、下半分のにはサブ機能に応じた設定項目群が表示される。なお、上記ステップＳ１０の「および／または」とは、選択された機能あるいはサブ機能によっては、表示すべき対象がない場合があるという趣旨である。
【００４６】
次にＣＰＵ５は、選択可能なサブファンクションＳＷが操作されたかどうかをチェックし（ステップＳ１１）、選択可能なサブファンクションＳＷが操作されたときには、処理を前記（５）の表示更新処理に進める一方、選択可能なサブファンクションＳＷが操作されなかったときには、処理をステップＳ１５に進める。
【００４７】
（５）表示更新処理では、ＣＰＵ５は、操作されたサブファンクションＳＷに応じて、対応するＬＥＤを「点滅」に設定し（ステップＳ１２）、操作されたサブファンクションＳＷに応じて、対応するタブの表示態様を選択状態に設定し（ステップＳ１３）、操作されたサブファンクションＳＷに応じて、ＬＣＤ画面のタブが表示された領域より上の領域の対応する表示を更新する（ステップＳ１４）。上記ステップＳ１２〜Ｓ１４の各処理はそれぞれ、前記ステップＳ６，Ｓ５およびＳ１０の各処理（ただし、ステップＳ１０の処理についてはその一部）に対して、処理対象がサブ機能である点が異なるのみであり、ステップＳ６，Ｓ５およびＳ１０の各処理を類推適用すれば簡単に実現できるので、その詳細な説明は省略する。この（５）表示更新処理を実行後、ＣＰＵ５は、処理をステップＳ１５に進める。
【００４８】
ステップＳ１５では、ＣＰＵ５は、選択されているサブ機能に対する変更操作がされたかどうかをチェックし（ステップＳ１５）、当該変更操作が検出されたときには、処理を前記（６）のパラメータ変更処理に進める（ステップＳ１５→Ｓ１６）一方、当該変更操作が検出されなかったときには、前記（７）のその他の処理に進める（ステップＳ１５→Ｓ１７）。ここで、「選択されているサブ機能に対する変更操作」は、たとえば、前記カーソル移動スイッチ２ｃ、ロータリエンコーダ２ａ，増（ＩＮＣ）／減（ＤＥＣ）スイッチ２ｂ１または２ｂ２などを用いてなされる。
【００４９】
（６）パラメータ変更処理では、ＣＰＵ５は、サブ機能に対応するパラメータの変更を前記音源・効果回路１３あるいは前記ＲＡＭ７上のレジスタ（図示せず）に反映させる（ステップＳ１６）。この処理を実行後、ＣＰＵ５は、処理を前記（７）のその他の処理に進める。
【００５０】
（７）その他の処理では、ＣＰＵ５は、演奏操作に応じた楽音生成処理を含むその他の処理を実行する（ステップＳ１７）。
【００５１】
次にＣＰＵ５は、ユーザが前記モード選択スイッチを用いてモードの変更操作を行ったかどうかチェックし（ステップＳ１８）、モードの変更操作が検出されたときには、処理を前記（２）の第１の表示処理に戻して、前述の処理を繰り返す。一方、モードの変更操作が検出されなかったときには、ＣＰＵ５は、選択可能なファンクションＳＷが操作されたかどうかをチェックし（ステップＳ１９）、選択可能なファンクションＳＷが操作されたときには、処理を前記（２）の第１の表示処理の途中、つまり前記ステップＳ５に戻して、前述の処理を繰り返す。一方、選択可能なファンクションＳＷが操作されなかったときには、ＣＰＵ５は、処理を前記ステップＳ１１に戻して、前述の処理を繰り返す。
【００５２】
なお本実施の形態では、選択状態の表示態様として、「点滅」、「点灯」および「消灯」を採用したが、これに代えて、「緑点灯」、「赤点灯」および「消灯」のように複数色の表示態様を採用してもよいし、「明るく点灯」、「暗く点灯」および「消灯」のように輝度の異なる表示態様を採用してもよい。
【００５３】
なお、上述した実施の形態の機能を実現するソフトウェアのプログラムコードを記録した記憶媒体を、システムまたは装置に供給し、そのシステムまたは装置のコンピュータ（またはＣＰＵやＭＰＵ）が記憶媒体に格納されたプログラムコードを読出し実行することによっても、本発明の目的が達成されることは言うまでもない。
【００５４】
この場合、記憶媒体から読出されたプログラムコード自体が本発明の新規な機能を実現することになり、そのプログラムコードおよび該プログラムコードを記憶した記憶媒体は本発明を構成することになる。
【００５５】
プログラムコードを供給するための記憶媒体としては、たとえば、フレキシブルディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭなどを用いることができる。また、通信ネットワークを介してサーバコンピュータからプログラムコードが供給されるようにしてもよい。
【００５６】
また、コンピュータが読出したプログラムコードを実行することにより、上述した実施の形態の機能が実現されるだけでなく、そのプログラムコードの指示に基づき、コンピュータ上で稼働しているＯＳなどが実際の処理の一部または全部を行い、その処理によって上述した実施の形態の機能が実現される場合も含まれることは言うまでもない。
【００５７】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって上述した実施の形態の機能が実現される場合も含まれることは言うまでもない。
【符号の説明】
【００５８】
３ａ…ファンクションＳＷ（操作子），３ｂ…ファンクションＳＷ用ＬＥＤ（発光手段），４ａ…サブファンクションＳＷ（操作子），４ｂ…サブファンクションＳＷ用ＬＥＤ（発光手段），５…ＣＰＵ（表示手段、制御手段），９…表示部（表示手段）
【図１】
2010231131.tif 000003
【図２】
2010231131.tif 000004
【図３ａ】
2010231131.tif 000005
【図３ｂ】
2010231131.tif 000006